(57)【要約】      （修正有）【課題】簡単に装着することができ、腰袋や工具ホルダを腰に取り付けて作業を行う作業者も装着することができる水冷衣服を提供する。【解決手段】表裏一対の防水生地１１ａ、１１ｂを線状に接合して仕切ることによって冷水循環路ＣＰが形成された衣服本体１０と、この衣服本体の冷水循環路に冷水を循環供給する冷水循環供給ユニット２０とを備えている。冷水循環供給ユニットは、衣服本体の冷水循環路に循環供給する冷水（氷水）が充填された冷水充填タンク、冷水充填タンクに充填された冷水を、チューブを介して、衣服本体の冷水循環路に循環供給する冷水循環ポンプ及び冷水循環ポンプに電源を供給するバッテリを備えており、冷水充填タンク及び冷水循環ポンプを収容したバッグ２５が、面ファスナーを介して、衣服本体の後ろ身頃の外面に着脱自在に取り付けられている。【選択図】図２
0003232318.tif 000002
【実用新案登録請求の範囲】
【請求項１】
冷水循環路を有する衣服本体と、
前記衣服本体の冷水循環路に冷水を循環供給する、冷水充填タンク、冷水循環ポンプ及びバッテリを有する冷水循環供給ユニットと
を備え、
前記冷水充填タンク、前記冷水循環ポンプ及び前記衣服本体の冷水循環路がチューブを介して接続された状態で、少なくとも、前記冷水充填タンク及び前記冷水循環ポンプを収容したバッグが、前記衣服本体の後ろ身頃の外面に着脱自在に取り付けられていることを特徴とする水冷衣服。
【請求項２】
前記バッグには、左右一対のショルダーベルトが取り付けられている請求項１に記載の水冷衣服。
【考案の詳細な説明】
【技術分野】
【０００１】
この考案は、冷水を循環供給することによって装着者の身体を冷却する水冷衣服に関する。
【背景技術】
【０００２】
この種の水冷衣服としては、例えば、図６に示すものがある。この水冷衣服５０は、同図に示すように、冷水チューブ５２が配設された衣服本体５１と、この衣服本体５１の冷水チューブ５２に冷水を循環供給する、冷水充填容器、冷水循環ポンプ及びバッテリからなる冷水循環供給ユニット５３とから構成されており、冷水循環供給ユニット５３はウエストバック等に収容されている。
【先行技術文献】
【特許文献】
【０００３】
【特許文献１】特開２０２０−２０４１３１号公報
【考案の概要】
【考案が解決しようとする課題】
【０００４】
こういった水冷衣服５０を使用するには、まず、衣服本体５１を身体に装着した後、冷水循環供給ユニット５３が収容されたウエストバック等を腰に取り付け、冷水循環供給ユニット５０を衣服本体５１の冷水チューブ５２に接続するといった具合に段階的に装着作業を行わなければならず、装着作業が煩雑であるといった問題がある。
【０００５】
また、上述した水冷衣服５０は、冷水循環供給ユニット５３が収容されたウエストバック等を腰に取り付けるようになっているので、例えば、道具を収納した腰袋や工具ホルダを腰回りに取り付けて作業を行う作業者の場合は、冷水循環供給ユニット５３が収容されたウエストバック等を腰に取り付けることができず、こういった水冷衣服５０を使用することができないといった問題もある。
【０００６】
そこで、この考案の課題は、簡単に装着することができ、腰袋や工具ホルダを腰に取り付けて作業を行う作業者も装着することができる水冷衣服を提供することにある。
【課題を解決するための手段】
【０００７】
上記の課題を解決するため、請求項１に係る考案は、冷水循環路を有する衣服本体と、前記衣服本体の冷水循環路に冷水を循環供給する、冷水充填タンク、冷水循環ポンプ及びバッテリを有する冷水循環供給ユニットとを備え、前記冷水充填タンク、前記冷水循環ポンプ及び前記衣服本体の冷水循環路がチューブを介して接続された状態で、少なくとも、前記冷水充填タンク及び前記冷水循環ポンプを収容したバッグが、前記衣服本体の後ろ身頃の外面に着脱自在に取り付けられていることを特徴とする水冷衣服を提供するものである。
【０００８】
また、請求項２に係る考案は、請求項１に係る考案の水冷衣服において、前記バッグには、左右一対のショルダーベルトが取り付けられていることを特徴としている。
【考案の効果】
【０００９】
以上のように、請求項１に係る考案の水冷衣服は、冷水充填タンク、冷水循環ポンプ及び衣服本体の冷水循環路がチューブを介して接続された状態で、少なくとも、冷水充填タンク及び冷水循環ポンプを収容したバッグが、衣服本体の後ろ身頃の外面に着脱自在に取り付けられているので、衣服本体を身体に装着するだけで直ちに使用可能な状態となり、段階的に装着作業を行わなければならない従来の水冷衣服に比べて装着作業性がよい。
【００１０】
また、この水冷衣服を装着した状態では、腰回りがフリーな状態となるので、冷水循環供給ユニットが収容されたウエストバック等を腰に取り付けるようになっている従来の水冷衣服とは異なり、道具を収納した腰袋や工具ホルダを腰回りに取り付けた作業者等であっても、この水冷衣服を装着することができる。
【００１１】
また、請求項２に係る考案の水冷衣服は、バッグに左右一対のショルダーベルトが取り付けられているので、冷水充填タンク及び冷水循環ポンプを収容したバッグを背負うことができる。従って、この水冷衣服を身体に装着した状態で、冷水充填タンク及び冷水循環ポンプを収容した、重量の大きいバッグが衣服本体の後ろ身頃から脱落することがなく、大容量の冷水充填タンクを装備することが可能になる。
【図面の簡単な説明】
【００１２】
【図１】（ａ）はこの考案に係る水冷衣服の一実施形態を装着した状態を身体の正面側から視た図、（ｂ）は同上の水冷衣服を装着した状態を身体の背面側から視た図である。
【図２】（ａ）は同上の水冷衣服を広げた状態を示す正面図、（ｂ）は同上の水冷衣服を広げた状態を示す背面図である。
【図３】（ａ）は同上の水冷衣服を構成している衣服本体を示す正面図、（ｂ）は同上の衣服本体を示す背面図である。
【図４】（ａ）は同上の水冷衣服を構成している冷水循環供給ユニットを示す背面図、（ｂ）は同上の冷水循環供給ユニットのバッグの蓋を開けた状態を示す背面図である。
【図５】（ａ）は同上の冷水循環供給ユニットを構成している冷水充填タンクを示す平面図、（ｂ）は同上の冷水充填タンクを示す背面図、（ｃ）は同上の冷水充填タンクを示す底面図、（ｄ）は同上の冷水充填タンクを示す側面図である。
【図６】従来の水冷衣服を示す概略構成図である。
【考案を実施するための形態】
【００１３】
以下、実施の形態について図面を参照して説明する。図１（ａ）、（ｂ）及び図２（ａ）、（ｂ）に示すように、この水冷衣服１は、高温環境下で作業等を行う者が身体を冷却するために装着するものであり、冷水循環路ＣＰを有する衣服本体１０と、この衣服本体１０の冷水循環路ＣＰに冷水を循環供給する冷水循環供給ユニット２０とを備えている。
【００１４】
前記衣服本体１０は、図３（ａ）、（ｂ）に示すように、背中を覆う後ろ身頃ＢＰと、この後ろ身頃ＢＰの両側部における脇の下に相当する部分から張り出して胸腹部を覆う左前身頃ＦＦＰ及び右前身頃ＲＦＰとを有する表裏一対の防水生地１１ａ、１１ｂによって形成されており、表裏一対の防水生地１１ａ、１１ｂは、その内部を取り囲むように、外周縁部に沿って線状に接合された外周接合部１２及びその外周接合部１２の内側を点状に接合する多数の点状接合部１３によって一体化されている。
【００１５】
また、衣服本体１０は、外周接合部１２の内側を線状に接合する線状接合部１４によって適宜仕切ることで、外周接合部１２の内側に防水生地１１ａ、１１ｂ間を冷水が通過する連続した冷水循環路ＣＰが形成されており、この冷水循環路ＣＰの両端部には、防水生地１１ｂ側に冷水循環供給ユニット２０に接続される冷水入口接続部１５及び冷水出口接続部１６がそれぞれ設けられている。
【００１６】
前記冷水循環供給ユニット２０は、図２（ｂ）及び図４（ａ）、（ｂ）に示すように、衣服本体１０の冷水循環路ＣＰに循環供給する冷水（氷水）が充填される、樹脂成型された保形性を有する冷水充填タンク２１、冷水充填タンク２１に充填された冷水を衣服本体１０の冷水循環路ＣＰに循環供給する冷水循環ポンプ２２及び冷水循環ポンプ２２に電源を供給するバッテリ２３を備えており、冷水充填タンク２１、冷水循環ポンプ２２及び衣服本体１０の冷水循環路ＣＰがチューブ２４ａ、２４ｂ、２４ｃを介して接続された状態で、冷水充填タンク２１及び冷水循環ポンプ２２を収容したバッグ２５が、面ファスナーを介して、上下方向に位置調整可能に衣服本体１０の後ろ身頃ＢＰの外面に着脱自在に取り付けられている。なお、図２（ｂ）及び図３（ｂ）における符号ＬＦは、衣服本体１０の後ろ身頃ＢＰの両側部に帯状に設けられた、面ファスナーの一方のファスナー要素（ループ側）を示している。
【００１７】
前記冷水充填タンク２１は、図４（ｂ）及び図５（ａ）〜（ｄ）に示すように、背面上部に設けられた冷水充填口を開閉する蓋２１ａと、冷水循環ポンプ２２を収容するポンプ収容溝２１ｂと、冷水循環ポンプ２２の吐出側に接続されたチューブ２４ａを収容するチューブ収容溝２１ｃと、冷水循環ポンプ２２の電源線２２ａを収容する電源線収容溝２１ｄと、冷水循環ポンプ２２に吸込側に接続されたチューブ２４ｃを接続するチューブ接続部２１ｅと、衣服本体１０の冷水出口接続部１６に接続されたチューブ２４ｂを接続するチューブ接続部２１ｆとを有しており、背面側には、前記冷水充填口を取り囲む背面側上位凹部２１ｇと、ポンプ収容溝２１ｂ、チューブ収容溝２１ｃ、電源線収容溝２１ｄの下端部が開放される背面側下位凹部２１ｈとが形成されている。
【００１８】
また、冷水充填タンク２１及び冷水循環ポンプ２２が収容されたバッグ２５を背負うことができるように、バッグ２５には、左右一対のショルダーベルト２６、２６が取り付けられていると共に、衣服本体１０の左前身頃ＦＦＰ及び右前身頃ＲＦＰが身体の胸腹部を覆った状態に保持することができるように、バッグ２５の両側部には、バックルを介して接合可能な胸位ベルト２７ａ、２７ｂ及び腹位ベルト２８ａ、２８ｂがそれぞれ取り付けられている。
【００１９】
前記胸位ベルト２７ａ、２７ｂ及び腹位ベルト２８ａ、２８ｂは、左前身頃ＦＦＰ及び右前身頃ＲＦＰの外面に面ファスナーを介して着脱自在に保持されており、腹位ベルト２８ａには、バッテリ２３が収容された布製のソフトケース２９が取り付けられている。なお、図２（ｂ）及び図３（ｂ）における符号ＨＦは、衣服本体１０の左前身頃ＦＦＰ及び右前身頃ＲＦＰの点状接合部１３に設けられた、面ファスナーの他方のファスナー要素（フック側）を示している。
【００２０】
以上のように構成された水冷衣服１を身体に装着するには、衣服本体１０の後ろ身頃ＢＰを身体の背中に重ね合わせるようにして、冷水充填タンク２１及び冷水循環ポンプ２２を収容したバッグ２５を背負い、衣服本体１０の左前身頃ＦＦＰ及び右前身頃ＲＦＰを身体の胸腹部に重ね合わせた状態で、胸位ベルト２７ａ、２７ｂ及び腹位ベルト２８ａ、２８ｂをそれぞれ接合すればよい。
【００２１】
以上のように構成された水冷衣服１は、冷水充填タンク２１、冷水循環ポンプ２２及び衣服本体１０の冷水循環路ＣＰがチューブ２４ａ、２４ｂを介して接続された状態で、冷水充填タンク２１及び冷水循環ポンプ２２を収容したバッグ２５が、衣服本体１０の後ろ身頃ＢＰの外面に着脱自在に取り付けられているので、バッグ２５を背負うようにして衣服本体１０を身体に装着するだけで直ちに使用可能な状態となり、段階的に装着作業を行わなければならない従来の水冷衣服に比べて装着作業性がよい。
【００２２】
また、この水冷衣服１を装着した状態では、腰回りに障害物がない状態となるので、冷水循環供給ユニットが収容されたウエストバック等を腰に取り付けるようになっている従来の水冷衣服とは異なり、道具を収納した腰袋や工具ホルダを腰回りに取り付けた作業者等であってもこの水冷衣服１を装着することができる。
【００２３】
また、この水冷衣服１を身体に装着した状態では、冷水充填タンク２１及び冷水循環ポンプ２２を収容したバッグ２５を背負うことになるので、冷水充填タンク２１及び冷水循環ポンプ２２を収容した、重量の大きいバッグ２５が衣服本体１０の後ろ身頃ＢＰから脱落することがなく、大容量の冷水充填タンク２１を装備することが可能になる。
【００２４】
また、この水冷衣服１を構成している衣服本体１０は、外周接合部１２の内側を線状に接合する線状接合部１４によって適宜仕切ることで、外周接合部１２の内側に防水生地１１ａ、１１ｂ間を冷水が通過する連続した冷水循環路ＣＰが形成されているので、冷水循環チューブを生地に接着している従来の水冷衣服に比べてより均一かつ広範囲に冷水を循環させることができる。
【００２５】
なお、上述した実施形態では、バッグ２５に冷水充填タンク２１及び冷水循環ポンプ２２を収容するようになっているが、これらに加えて、バッテリ２３を収容するようにしてもよい。
【００２６】
また、上述した実施形態では、冷水充填タンク２１及び冷水循環ポンプ２２を収容したバッグ２５が、面ファスナーを介して、上下方向に位置調整可能に衣服本体１０の後ろ身頃ＢＰの外面に着脱自在に取り付けられているが、これに限定されるものではなく、バッグ２５を衣服本体１０の後ろ身頃ＢＰの外面に固定的に取り付けてもよい。
【００２７】
また、上述した実施形態では、冷水充填タンク２１及び冷水循環ポンプ２２を収容したバッグ２５を背負うようになっているが、これに限定されるものではなく、衣服本体の形態によっては、冷水充填タンク等を収容したバッグを後ろ身頃に取り付けた衣服本体を装着するだけでバッグを保持することが可能であり、そのような構成であれば、ショルダーベルトは必ずしも設ける必要はない。
【００２８】
また、上述した実施形態では、表裏一対の防水生地１１ａ、１１ｂ同士を線状に接合することによって冷水循環路ＣＰを形成しているが、これに限定されるものではなく、冷水循環チューブを生地に接着する形態を採用することも可能である。
【産業上の利用可能性】
【００２９】
本考案は、高温環境下で作業を行う作業者等の身体を冷却する場合に利用することができる。
【符号の説明】
【００３０】
１  水冷衣服
１０  衣服本体
１１ａ、１１ｂ  防水生地
１２  外周接合部
１３  点状接合部
１４  線状接合部
１５  冷水入口接続部
１６  冷水出口接続部
２０  冷水循環供給ユニット
２１  冷水充填タンク
２１ａ  蓋
２１ｂ  ポンプ収容溝
２１ｃ  チューブ収容溝
２１ｄ  電源線収容溝
２１ｅ  チューブ接続部
２１ｆ  チューブ接続部
２１ｇ  背面側上位凹部
２１ｈ  背面側下位凹部
２２  冷水循環ポンプ
２２ａ  電源線
２３  バッテリ
２４ａ、２４ｂ、２４ｃ  チューブ
２５  バッグ
２６  ショルダーベルト
２７ａ、２７ｂ  胸位ベルト
２８ａ、２８ｂ  腹位ベルト
２９  ソフトケース
ＢＰ  後ろ身頃
ＦＦＰ  左前身頃
ＲＦＰ  右前身頃
ＣＰ  冷水循環路
ＬＦ  ファスナー要素（ループ側）
ＨＦ  ファスナー要素（フック側）
【図１】
0003232318.tif 000003
【図２】
0003232318.tif 000004
【図３】
0003232318.tif 000005
【図４】
0003232318.tif 000006
【図５】
0003232318.tif 000007
【図６】
0003232318.tif 000008